(57)【要約】【課題】煩雑な作業を行うことなく、最適な音響処理が施された楽曲を再生可能な車載装置を提供する。【解決手段】楽曲を再生する車載装置１において、楽曲を再生する際、当該楽曲の楽曲情報を取得し、取得した楽曲情報に応じた音響処理を施した上で、当該楽曲を再生するようにした。【選択図】図１
2010277617.tif 000002
【特許請求の範囲】
【請求項１】
楽曲を再生する車載装置において、
楽曲を再生する際、当該楽曲の楽曲情報を取得し、取得した楽曲情報に応じた音響処理を施した上で、当該楽曲を再生することを特徴とする車載装置。
【請求項２】
楽曲と、当該楽曲の楽曲情報とを対応づけて記憶し、
楽曲を再生する際、当該楽曲と対応づけて記憶された楽曲情報を取得し、取得した楽曲情報に応じた音響処理を施した上で、当該楽曲を再生することを特徴とする請求項１に記載の車載装置。
【請求項３】
楽曲情報と、当該楽曲情報に係る楽曲を再生する場合に、当該楽曲に施すべき音響処理を示す音響処理情報と、を対応づけて記憶し、
楽曲を再生する際、当該楽曲の楽曲情報を取得し、取得した楽曲情報と対応づけて記憶された音響処理情報が示す音響処理を施した上で、当該楽曲を再生することを特徴とする請求項１又は２に記載の車載装置。
【請求項４】
楽曲情報と対応づけて記憶されている音響処理情報の内容を変更可能に構成したことを特徴とする請求項３に記載の車載装置。
【請求項５】
楽曲の再生の開始、又は、再生する楽曲の切り替えが行われる度に、新たに再生すべき楽曲の楽曲情報を取得し、取得した楽曲情報に応じた音響処理を施した上で、当該新たに再生すべき楽曲を再生することを特徴とする請求項１ないし４のいずれかに記載の車載装置。
【請求項６】
楽曲情報には、少なくとも、楽曲のジャンル情報、及び、楽曲に係るアーティスト情報のいずれか一方が含まれることを特徴とする請求項１ないし５のいずれかに記載の車載装置。
【請求項７】
音響処理には、楽曲の音声信号の周波数特性を変更する処理が含まれることを特徴とする請求項１ないし６のいずれかに記載の車載装置。
【請求項８】
楽曲を再生する車載装置において、
楽曲の再生が可能な楽曲再生装置と接続可能に構成すると共に、接続された前記楽曲再生装置から転送された楽曲を再生可能に構成し、
接続された前記楽曲再生装置から転送された楽曲を再生する際、当該楽曲の楽曲情報を取得し、取得した楽曲情報に応じた音響処理を施した上で、当該楽曲を再生することを特徴とする車載装置。
【請求項９】
前記楽曲再生装置は、
楽曲の記憶、及び、記憶した楽曲の再生が可能な携帯型楽曲再生装置であることを特徴とする請求項８に記載の車載装置。
【請求項１０】
楽曲を再生する車載装置の制御方法であって、
楽曲を再生する際、当該楽曲の楽曲情報を取得し、取得した楽曲情報に応じた音響処理を施した上で、当該楽曲を再生することを特徴とする車載装置の制御方法。
【請求項１１】
楽曲の再生が可能な楽曲再生装置と接続可能に構成すると共に、接続された前記楽曲再生装置から転送された楽曲を再生可能に構成した車載装置の制御方法であって、
接続された前記楽曲再生装置から転送された楽曲を再生する際、当該楽曲の楽曲情報を取得し、取得した楽曲情報に応じた音響処理を施した上で、当該楽曲を再生することを特徴とする車載装置の制御方法。
【発明の詳細な説明】
【技術分野】
【０００１】
本発明は、楽曲を再生する車載装置、及び、車載装置の制御方法に関する。
【背景技術】
【０００２】
従来、車両に搭載され、ＣＤやハードディスク等に記憶された楽曲を再生する車載用オーディオ装置が知られている（例えば、特許文献１参照）。この種の車載用オーディオ装置では、再生する楽曲の音声に対し、イコライザー等によって、予め設定した内容の音響処理を施すことが可能に構成されたものがある。
【先行技術文献】
【特許文献】
【０００３】
【特許文献１】特開２００５−１５３６５９号公報
【発明の概要】
【発明が解決しようとする課題】
【０００４】
しかしながら、上述の車載用オーディオ装置では、楽曲のそれぞれに対し最適な音響処理を施そうとした場合、楽曲に応じて音響処理の内容を設定し直す必要があり、作業が煩雑であった。特に、車両の運転手が音響処理の内容を設定し直す場合、一旦車両を停止する必要があり、より作業が煩雑であった。
本発明は、上述した事情に鑑みてなされたものであり、煩雑な作業を行うことなく、最適な音響処理が施された楽曲を再生可能な車載装置を提供することを目的とする。
【課題を解決するための手段】
【０００５】
上記目的を達成するために、本発明は、楽曲を再生する車載装置において、楽曲を再生する際、当該楽曲の楽曲情報を取得し、取得した楽曲情報に応じた音響処理を施した上で、当該楽曲を再生することを特徴とする。
この構成によれば、この構成によれば、楽曲を再生する際、自動で、当該楽曲の楽曲情報に応じた最適な音響処理が施された上で、楽曲が再生される。このため、楽曲に応じて音響処理の内容を設定し直すといった繁雑な作業を行うことなく、最適な音響処理が施された楽曲を再生できる。
【０００６】
ここで、上記発明の車載装置において、楽曲と、当該楽曲の楽曲情報とを対応づけて記憶し、楽曲を再生する際、当該楽曲と対応づけて記憶された楽曲情報を取得し、取得した楽曲情報に応じた音響処理を施した上で、当該楽曲を再生するようにしてもよい。
この構成によれば、楽曲と、当該楽曲の楽曲情報とが対応づけて記憶されているため、楽曲を再生する際、当該楽曲の楽曲情報を確実に取得できる。
【０００７】
また、上記発明の車載装置において、楽曲情報と、当該楽曲情報に係る楽曲を再生する場合に、当該楽曲に施すべき音響処理を示す音響処理情報と、を対応づけて記憶し、楽曲を再生する際、当該楽曲の楽曲情報を取得し、取得した楽曲情報と対応づけて記憶された音響処理情報が示す音響処理を施した上で、当該楽曲を再生するようにしてもよい。
この構成によれば、楽曲情報と、音響処理情報とが対応づけて記憶されているため、楽曲を再生する際、当該楽曲の楽曲情報に対応した音響処理情報を確実に取得できる。
【０００８】
また、上記発明の車載装置において、楽曲情報と対応づけて記憶されている音響処理情報の内容を変更可能に構成したようにしてもよい。
この構成によれば、ユーザーは、ある楽曲情報に係る楽曲を再生する場合に自身にとって最適な音響処理が施されるように、音響処理情報の内容を変更することができ、楽曲を再生する際、ユーザーにとって最適な音響処理を自動で施した上で、楽曲を再生することが可能となる。
【０００９】
また、上記発明の車載装置において、楽曲の再生の開始、又は、再生する楽曲の切り替えが行われる度に、新たに再生すべき楽曲の楽曲情報を取得し、取得した楽曲情報に応じた音響処理を施した上で、当該新たに再生すべき楽曲を再生するようにしてもよい。
この構成によれば、楽曲の再生の開始や、再生する楽曲の変更が行われる度に、自動で、新たに再生すべき楽曲の楽曲情報に応じた最適な音響処理が施された上で、楽曲が再生される。このため、楽曲の再生の開始や、再生する楽曲の変更が行われる度に、楽曲に応じて音響処理の内容を設定し直すといった繁雑な作業を行うことなく、最適な音響処理が施された楽曲を再生できる。
【００１０】
また、上記発明の車載装置において、楽曲情報には、少なくとも、楽曲のジャンル情報、及び、楽曲に係るアーティスト情報のいずれか一方が含まれることを特徴とする。
ここで、再生する楽曲は、ジャンルによって、曲調や、テンポ、曲の雰囲気等が異なるため、ジャンルによって施すべき音響処理は異なる。
そして、楽曲情報に楽曲のジャンル情報が含まれることにより、楽曲を再生する際、自動で、当該楽曲のジャンルに応じた最適な音響処理が施された上で、楽曲が再生されることとなり、楽曲のジャンルが変わる度に、ジャンルに応じて音響処理の内容を設定し直すといった繁雑な作業を行うことなく、最適な音響処理が施された楽曲を再生できる。
同様に、再生する楽曲は、アーティストによって、施すべき音響処理は異なる。
そして、楽曲情報に楽曲に係るアーティスト情報が含まれることにより、楽曲を再生する際、自動で、当該楽曲に係るアーティストに応じた最適な音響処理が施された上で、楽曲が再生されることとなり、楽曲に係るアーティストが変わる度に、楽曲に係るアーティストに応じて音響処理の内容を設定し直すといった繁雑な作業を行うことなく、最適な音響処理が施された楽曲を再生できる。
【００１１】
また、上記発明の車載装置において、音響処理には、楽曲の音声信号の周波数特性を変更する処理が含まれるようにしてもよい。
この構成によれば、楽曲を再生する際、自動で、当該楽曲の楽曲情報に応じて、楽曲の音声信号の周波数特性が変更された上で、楽曲が再生される。このため、楽曲に応じて周波数特性を変更し直すといった繁雑な作業を行うことなく、最適な周波数特性の変更が施された楽曲を再生できる。
【００１２】
また、上記目的を達成するために、本発明は、楽曲を再生する車載装置において、楽曲の再生が可能な楽曲再生装置と接続可能に構成すると共に、接続された前記楽曲再生装置から転送された楽曲を再生可能に構成し、接続された前記楽曲再生装置から転送された楽曲を再生する際、当該楽曲の楽曲情報を取得し、取得した楽曲情報に応じた音響処理を施した上で、当該楽曲を再生することを特徴とする。
この構成によれば、楽曲再生装置から転送された楽曲を再生する際、自動で、当該楽曲の楽曲情報に応じた最適な音響処理が施された上で、楽曲が再生される。このため、楽曲に応じて楽曲再生装置に対して音響処理の内容を設定し直すといった繁雑な作業を行うことなく、最適な音響処理が施された楽曲を再生できる。
【００１３】
ここで、上記発明の車載装置において、前記楽曲再生装置は、楽曲の記憶、及び、記憶した楽曲の再生が可能な携帯型楽曲再生装置であるようにしてもよい。
この構成によれば、携帯型楽曲再生装置に記憶された楽曲を、車載装置によって再生する場合に、自動で、当該楽曲の楽曲情報に応じた最適な音響処理が施された上で、楽曲が再生される。このため、楽曲に応じて携帯型楽曲再生装置に対して音響処理の内容を設定し直すといった繁雑な作業を行うことなく、最適な音響処理が施された楽曲を再生できる。
【００１４】
また、上記目的を達成するために、本発明は、楽曲を再生する車載装置の制御方法であって、楽曲を再生する際、当該楽曲の楽曲情報を取得し、取得した楽曲情報に応じた音響処理を施した上で、当該楽曲を再生することを特徴とする。
【００１５】
また、上記目的を達成するために、本発明は、楽曲の再生が可能な楽曲再生装置と接続可能に構成すると共に、接続された前記楽曲再生装置から転送された楽曲を再生可能に構成した車載装置の制御方法であって、接続された前記楽曲再生装置から転送された楽曲を再生する際、当該楽曲の楽曲情報を取得し、取得した楽曲情報に応じた音響処理を施した上で、当該楽曲を再生することを特徴とする。
【発明の効果】
【００１６】
本発明によれば、楽曲を再生する際、当該楽曲の楽曲情報に応じた音響処理が施された上で楽曲が、自動で、再生されるため、煩雑な作業を行うことなく、最適な音響処理が施された楽曲の再生が可能となる。
【図面の簡単な説明】
【００１７】
【図１】第１実施形態に係る車載装置の機能的構成を示すブロック図である。
【図２】（Ａ）は楽曲情報ＤＢを示し、（Ｂ）は音響処理情報ＤＢを示す。
【図３】車載装置の動作を示すフローチャートである。
【図４】（Ａ）は変更ジャンル選択画面を示し、（Ｂ）はイコライザー設定値変更画面を示す。
【図５】第２実施形態に係る車載装置の動作を示すフローチャートである。
【発明を実施するための形態】
【００１８】
以下、図面を参照して本発明の実施形態について説明する。
＜第１実施形態＞
第１実施形態では、車載装置１の一態様として、車両の経路案内を行うナビゲーション機能を備えると共に、ＣＤやハードディスク等に記録された楽曲データに基づいて楽曲を再生する楽曲再生機能を備える車載装置１を例示する。なお、楽曲データとは、楽曲の再生に必要な音声データのことである。
【００１９】
図１は、本実施形態に係る車載装置１の機能的構成を示すブロック図である。
この図に示すように、車載装置１は、制御部１０と、絶対位置方位検出部１１と、相対方位検出部１２と、車速検出部１３と、ＦＭ多重受信処理部１４と、ビーコン受信処理部１５と、表示部１６と、入力部１７と、ユーザーインターフェイス部１８と、外部記憶媒体制御部１９と、ＤＳＰ（Digital Signal Processor）２０と、音声変換部２１と、無線通信部２２と、ＨＤＤ制御部２３と、ＨＤＤ（Hard Disk Drive）２４と、を備えている。
制御部１０は、車載装置１全体を制御するものであり、ＣＰＵ及びその周辺回路から構成される。ＲＯＭ３０は、ＢＩＯＳやブートプログラム、その他の制御プログラム等を予め記憶し、車載装置１の起動時にＣＰＵによってアクセスされる。ＣＰＵは、ＲＯＭ３０に記憶された制御プログラム等を読み出して、車載装置１の各部を制御する。ＤＲＡＭ３１は、ＣＰＵのワークエリアに使用されるメモリーである。ＳＲＡＭ３２は、車両のアクセサリー電源等の車載装置１のメイン電源がオフの間も、電池等でバックアップされてメモリー内容を保持するようにされている。ＶＲＡＭ３３は、後述する表示部１６の表示用データが格納されるメモリーである。
【００２０】
絶対位置方位検出部１１は、車載装置１が搭載された車両の現在位置すなわち自車位置について、地表での絶対的な位置座標や方位を計算するため、ＧＰＳ衛生から送られてくるＧＰＳ電波をＧＰＳアンテナ３４やレシーバーなどで受信し、ＧＰＳ電波に重畳されたＧＰＳ信号から、地表での絶対的な位置座標や方位を算出し、制御部１０に出力する。
相対方位検出部１２は、ジャイロセンサー等を使って、自車位置の相対的な方位を検出し、制御部１０に出力する。
車速検出部１３は、車両の速度を計算するため、車両より得られる車速パルスに基づいて車両の速度を算出し、制御部１０に出力する。
ＦＭ多重受信処理部１４は、制御部１０の制御の下、ＦＭ多重放送波を受信して、道路交通情報を取り出し、制御部１０に出力するものである。具体的には、ＦＭ多重受信処理部１４は、ＦＭ多重専用チューナーと、多重エンコーダーと、を備えている。ＦＭ多重専用チューナーは、ＦＭ多重放送を受信すると、ＦＭ多重信号を多重エンコーダーに出力する。多重エンコーダーは、ＦＭ多重専用チューナーから入力されたＦＭ多重信号を復号して道路交通情報を取得し、制御部１０に出力する。
ビーコン受信処理部１５は、制御部１０の制御の下、道路に設けられたビーコンが発する道路交通情報に係る電波を受信し、制御部１０に出力する。
【００２１】
表示部１６は、液晶ディスプレイ装置やＥＬ（Electro Luminescent）ディスプレイ装置等を用いて構成された表示パネル３５を備え、制御部１０の制御の下、表示パネル３５にナビゲーションのための地図や、操作メニュー等の各種情報を表示する。
入力部１７は、複数の操作ボタン３６と、表示部１６の表示パネル３５に重ねて配設されたタッチパネル３７を備え、ユーザーの操作ボタン３６や、タッチパネル３７に対する操作を検出し、制御部１０に出力する。なお、入力部１７がリモートコントローラーを備える構成であってもよい。
ユーザーインターフェイス部１８は、Ｉ／Ｏ制御回路やドライバー等であり、表示部１６及び入力部１７と、制御部１０とを接続するインターフェースである。
【００２２】
外部記憶媒体制御部１９は、図示せぬ外部記憶媒体読取装置に装着された外部記憶媒体３９に記憶されている楽曲データを読取り、楽曲データに係る音声信号をＤＳＰ２０に出力する。外部記憶媒体３９として、例えば、ＣＤや、ＭＤ、ＤＶＤ等のディスク型記録媒体や、メモリーカード等のカード型記録媒体、ＵＳＢメモリー内のフラッシュメモリー等がある。
同時に、外部記憶媒体制御部１９は、外部記憶媒体３９に記憶された楽曲データのＴＯＣ（Table Of Contents）情報データを読み取り、制御部１０に出力する。ＴＯＣ情報とは、楽曲を識別するための情報であり、ＴＯＣ情報データは、楽曲毎に一意な値を持っている。
ＤＳＰ２０は、制御部１０の制御の下、外部記憶媒体制御部１９から入力された音声信号に対し各種信号処理を実行し、音声変換部２１に出力する。特に、ＤＳＰ２０は、イコライザー部４０を備えており、このイコライザー部４０には、ＥＱ設定値データを記憶するＥＱ設定値データ記憶部４１が接続されている。ＥＱ設定値データとは、複数の周波数について、周波数と、当該周波数の音圧レベルとを対応づけることによって周波数特性を特定するデータである。イコライザー部４０は、ＥＱ設定値データ記憶部４１に記憶されたＥＱ設定値データを参照し、当該ＥＱ設定値データが示す周波数特性となるように、音声信号の周波数特性を変更する。制御部１０は、ＥＱ設定値データ記憶部４１に制御信号を出力して、ＥＱ設定値データ記憶部４１に記憶されたＥＱ設定値データの内容を変更できる。
音声変換部２１は、Ｄ／Ａコンバータや、ボリューム、アンプ等を備え、ＤＳＰ２０から入力された音声データをデジタル／アナログ変換した後、増幅し、所定の音量でスピーカーから放音する。
【００２３】
無線通信部２２は、制御部１０の制御の下、携帯型楽曲再生装置４３と、所定の無線通信規格に準拠した無線通信を行う。携帯型楽曲再生装置４３には、楽曲データが記憶されており、制御部１０は、無線通信部２２を制御して、通信中の携帯型楽曲再生装置４３から楽曲データ及びＴＯＣ情報を取得し、取得した楽曲データに係る音声信号をＤＳＰ２０に出力する。
ＨＤＤ制御部２３は、制御部１０の制御の下、ＨＤＤ２４を制御するものであり、ＨＤＤ２４に対してデータの書き込み、読み出しを行う。
ＨＤＤ２４は、ハードディスクに各種データを読み書き可能に記憶する。ＨＤＤ２４には、例えば、ナビゲーション機能に供する地図データが記憶されている。なお、各種データを記憶する媒体としてハードディスクの代わりに、ＤＶＤ等の他の媒体を用いるようにしてもよい。
このＨＤＤ２４には、楽曲情報ＤＢ４５と、音響処理情報ＤＢ４６とが記憶されている。
【００２４】
図２（Ａ）は楽曲情報ＤＢ４５の構成を示す図であり、図２（Ｂ）は音響処理情報ＤＢ４６の構成を示す図である。
楽曲情報ＤＢ４５は、ＴＯＣ情報と楽曲情報とを対応づけて記録するデータベースである。楽曲情報とは、楽曲に関する情報のことであり、本実施形態では、楽曲の曲名、アーティスト、アルバム、作曲者、ジャンル、発売年に関する情報が含まれている。
図２（Ａ）に示すように、楽曲情報ＤＢ４５の１件のレコードには、ＴＯＣ情報フィールド５０と、楽曲情報フィールド５１とが含まれ、この楽曲情報フィールド５１には、曲名フィールド５２と、アーティストフィールド５３と、アルバムフィールド５４と、作曲者フィールド５５と、第１ジャンルフィールド５６と、発売年フィールド５７とが含まれている。
【００２５】
ＴＯＣ情報フィールド５０には、楽曲毎に一意な値が割り当てられたＴＯＣ情報を示すＴＯＣ情報データが記憶される。曲名フィールド５２には、楽曲の曲名を示す曲名データが記憶される。アーティストフィールド５３には、楽曲のアーティストを示すアーティストデータが記憶される。アルバムフィールド５４には、楽曲のアルバムを示すアルバムデータが記憶される。作曲者フィールド５５には、楽曲の作曲者を示す作曲者データが記憶される。第１ジャンルフィールド５６には、楽曲のジャンルを示すジャンルデータが記憶される。発売年フィールド５７には、楽曲が発売された年を示す発売年データが記憶される。なお、以下の説明では、楽曲情報ＤＢ４５の各フィールドに記憶されるデータを総称して「楽曲情報データ」という。
【００２６】
楽曲情報ＤＢ４５の各レコードは、例えば、以下の手段によって生成される。
例えば、外部記憶媒体３９に、楽曲毎に、楽曲データ及びＴＯＣ情報データと共に、楽曲情報データが記憶されている場合、外部記憶媒体制御部１９は、ＴＯＣ情報に加えて楽曲情報データを制御部１０に出力する。次に、制御部１０は、ＨＤＤ制御部２３を制御して、楽曲情報ＤＢ４５のＴＯＣ情報フィールド５０に、ＴＯＣ情報データを記憶すると共に、楽曲情報フィールド５１の各フィールドに、対応する楽曲情報データを記憶する。
また例えば、車載装置１をインターネットにアクセス可能に構成すると共に、制御部１０は、インターネット上の所定のサーバーからＴＯＣ情報データ及び楽曲情報データを取得し、これらデータに基づいて、楽曲情報ＤＢ４５の各レコードを生成するようにしてもよい。
また例えば、操作ボタン３６や、タッチパネル３７の操作によって、ユーザーが楽曲情報データについて入力できる構成とし、ユーザーによる入力に基づいて、制御部１０が楽曲情報ＤＢ４５の各レコードを生成するようにしてもよい。
【００２７】
一方、図２（Ｂ）に示すように、音響処理情報ＤＢ４６の１件のレコードには、第２ジャンルフィールド６０と、ＥＱ設定値フィールド６１とが含まれている。
第２ジャンルフィールド６０には、上述したジャンルデータが記憶される。ＥＱ設定値フィールド６１には、ＥＱ設定値データ記憶部４１に記憶される上述したＥＱ設定値データが記憶される。
【００２８】
本実施形態では、音響処理情報ＤＢ４６において、ジャンルデータ毎に、異なる値のＥＱ設定値データが対応づけて記憶されている。そして、ジャンルデータに対応づけて記憶されている各ＥＱ設定値データは、当該ジャンルデータが示すジャンルの楽曲を再生する場合において、当該楽曲に係る音声信号の最適な周波数特性を示すデータとなっている。
図２（Ｂ）の例では、ジャンルがクラシックであることを示すジャンルデータ（図２（Ｂ）において「クラシック」と表現されているデータ。以下、「クラシックデータ」という。）と対応づけて記憶されているＥＱ設定値データ（図２（Ｂ）において「クラシック設定」と表現されているデータ。以下、「クラシック設定データ」という。）は、ジャンルがクラシックである楽曲を再生する場合において、当該楽曲の音声信号の最適な周波数特性を示すデータとなっている。
なお、「あるジャンルの楽曲を再生する場合において、当該楽曲に係る音声信号の最適な周波数特性」とは、当該楽曲に係る音声がユーザーにとって最適な状態で聞こえるような、音声信号の周波数特性を意味する。
【００２９】
次いで、車載装置１の動作について図３のフローチャートを用いて説明する。
なお、図３において、（Ａ）は車載装置１の動作を示し、（Ｂ）はユーザーによる操作を示す。
また、以下説明する動作では、説明の便宜のため、外部記憶媒体３９に、図２（Ａ）のＴＯＣ１に係る楽曲データ（以下、「ＴＯＣ１データ」という）が記憶されており、この楽曲データに係る楽曲を再生するものとする。ＴＯＣ１データに係る楽曲のジャンルは、図２（Ａ）に示すように、クラシックである。
【００３０】
ユーザーは、ＴＯＣ１データが記憶された外部記憶媒体３９を、外部記憶媒体読取装置に装着する（ステップＳＢ１）。
外部記憶媒体３９が装着されると、車載装置１の外部記憶媒体制御部１９は、制御部１０の制御の下、ＴＯＣ情報データの読み出し及び制御部１０への出力を含む、楽曲を再生するために必要な事前処理を実行する（ステップＳＡ１）。
次に、ユーザーは、操作ボタン３６や、タッチパネル３７を操作して、ＴＯＣ１データに係る楽曲の再生を指示する（ステップＳＢ２）。
ＴＯＣ１データに係る楽曲の再生が指示されると、制御部１０は、楽曲情報ＤＢ４５を参照し（ステップＳＡ２）、楽曲情報ＤＢ４５の各レコードのうち、ＴＯＣ情報フィールド５０にＴＯＣ１を示すＴＯＣ情報データと同一のＴＯＣ情報データが記憶されているレコードを特定すると共に（ステップＳＡ３）、特定したレコードの第１ジャンルフィールド５６に記憶されているジャンルデータを取得する（ステップＳＡ４）。この例では、ステップＳＡ４において、制御部１０は、クラシックを示すジャンルデータであるクラシックデータを取得する。
【００３１】
次に、制御部１０は、音響処理情報ＤＢ４６を参照し（ステップＳＡ５）、音響処理情報ＤＢ４６の各レコードのうち、第２ジャンルフィールド６０に、ステップＳＡ４において取得したジャンルデータ（クラシックデータ）と同一のジャンルデータが記憶されているレコードを特定すると共に（ステップＳＡ６）、特定したレコードのＥＱ設定値フィールド６１に記憶されているＥＱ設定値データを取得する（ステップＳＡ７）。この例では、図２（Ｂ）を参照して、ステップＳＡ７において、制御部１０は、クラシック設定データを取得する。このクラシック設定データは、上述したように、ジャンルがクラシックである楽曲を再生する場合において、当該楽曲の音声信号の最適な周波数特性を示すデータである。
【００３２】
次に、制御部１０は、ＥＱ設定値データ記憶部４１にアクセスし、ステップＳＡ７において取得したＥＱ設定値データによって、既にＥＱ設定値データ記憶部４１に記憶されているＥＱ設定値データを上書き更新する（ステップＳＡ８）。これにより、以後は、ＤＳＰ２０に入力された音声信号の周波数特性は、イコライザー部４０によって、ジャンルがクラシックの楽曲の音声信号に最適な周波数特性に変更される。
次に、制御部１０は、外部記憶媒体制御部１９を制御して、ＴＯＣ１データに係る楽曲の再生を開始する（ステップＳＡ９）。
【００３３】
ここでＴＯＣ１データに係る楽曲の再生の開始後、外部記憶媒体制御部１９からＤＳＰ２０に入力された音声信号の周波数特性は、ＤＳＰ２０のイコライザー部４０によって、ＥＱ設定値データ記憶部４１に記憶されているＥＱ設定値データが示す周波数特性となるように変更される。ここで、ＤＳＰ２０のＥＱ設定値データ記憶部４１に記憶されているＥＱ設定値データは、ステップＳＡ８において、ジャンルがクラシックの楽曲の音声信号に最適な周波数特性を示すデータとなっている。このため、ジャンルがクラシックであるＴＯＣ１データの音声信号の周波数特性は、ＤＳＰ２０のイコライザー部４０において、最適な周波数特性に変換される。
このように、ステップＳＡ２〜ＳＡ９の一連の処理によって、あるジャンルの楽曲を再生する場合、ＥＱ設定値データ記憶部４１に記憶されたＥＱ設定値データが、当該ジャンルに最適な周波数特性を示すデータに書き換えられ、イコライザー部４０において当該楽曲の音声信号の周波数特性が、自動で、当該ジャンルに最適な周波数特性に変更される。このため、楽曲を再生する際、楽曲に応じて周波数特性の内容を設定し直すといった繁雑な作業を行うことなく、自動で、最適な周波数特性に変更された音声信号に係る楽曲を再生できる。
【００３４】
ここで、再生する楽曲は、ジャンルによって、曲調や、テンポ、曲の雰囲気等が異なるため、ジャンルによって施すべき音響処理は異なる。
そして、本実施形態では、あるジャンルの楽曲を再生する場合、ＥＱ設定値データ記憶部４１に記憶されたＥＱ設定値データが、当該ジャンルに最適な周波数特性を示すデータに書き換えられ、イコライザー部４０において当該楽曲の音声信号の周波数特性が、自動で、当該ジャンルに最適な周波数特性に変更される。このため、楽曲のジャンルが変わる度に、ジャンルに応じて周波数特性の内容を設定し直すといった繁雑な作業を行うことなく、最適な周波数特性に変更された音声信号に係る楽曲を再生できる。
【００３５】
さて、前掲図３に戻り、制御部１０は、再生する楽曲を切り替えるか否かを判別する（ステップＳＡ１０）。再生する楽曲を切り替える場合としては、再生していた曲が終了し、次に再生すべき曲に再生する曲を切り替える場合や、ユーザーによって再生する楽曲が新たに指示された場合等がある。
再生する楽曲を切り替えない場合（ステップＳＡ１０：ＮＯ）、制御部１０は、継続して現在再生中の楽曲を再生する。
再生する楽曲を切り替える場合（ステップＳＡ１０：ＹＥＳ）、制御部１０は、ステップＳＡ２へ処理手順を戻し、再び上述したステップＳＡ２〜ＳＡ８の一連の処理を実行した後、ステップＳＡ９において、切り替え後の楽曲の再生を開始する。上述したように、ステップＳＡ２〜ＳＡ９の一連の処理によって、ＥＱ設定値データ記憶部４１に記憶されたＥＱ設定値データが、切り替えるべき楽曲のジャンルに最適な周波数特性を示すデータに書き換えられ、イコライザー部４０において当該楽曲の音声信号の周波数特性が、当該ジャンルに最適な周波数特性に変更される。
このように、本実施形態では、楽曲の再生の開始や、再生する楽曲の変更が行われる度に、自動で、新たに再生すべき楽曲のジャンルに応じた最適な周波数特性に音声信号が変更された上で、楽曲が再生される。このため、楽曲の再生の開始や、再生する楽曲の変更が行われる度に、楽曲に応じて周波数特性の内容を設定し直すといった繁雑な作業を行うことなく、最適な周波数特性に音声信号を変更した上で、楽曲を再生できる。
【００３６】
ここで、本実施形態に係る車載装置１では、音響処理情報ＤＢ４６において、ジャンルデータと対応づけて記憶されているＥＱ設定値データの内容を変更可能である。なお、ＥＱ設定値データを変更するとは、ＥＱ設定値データについて、周波数に対応づけられている音圧データの値を変更することをいう。
以下、ＥＱ設定値データを変更する際の手順について説明する。
【００３７】
図４は、音響処理情報ＤＢ４６においてジャンルデータと対応づけて記憶されているＥＱ設定値データの内容を変更する場合において、表示パネル３５に表示される画像を示す図であり、（Ａ）は変更ジャンル選択画面６５を示し、（Ｂ）はイコライザー設定値変更画面６６を示す。
まず、ユーザーは、操作ボタン３６やタッチパネル３７を操作して、表示パネル３５に図４（Ａ）に示す変更ジャンル選択画面６５を表示させる。変更ジャンル選択画面６５には、存在するジャンルの全てが表示されたジャンル表示部６８が形成され、かつ、ジャンル表示部６８に表示されたジャンルのそれぞれに対応して、変更ボタン６７がタッチ操作可能に形成されている。
次に、ユーザーは、周波数特性を変更しようとするジャンルに対応する変更ボタン６７をタッチ操作し、表示パネル３５に図４（Ｂ）に示すイコライザー設定値変更画面６６を表示させる。ここでは、ユーザーは、クラシックに対応する変更ボタン６７Ａをタッチ操作したとする。
【００３８】
イコライザー設定値変更画面６６は、横軸に周波数、縦軸に音圧レベルを取った周波数特性表６９が形成されている。周波数特性表６９において、横軸は、所定の周波数毎に区切られており、区切られた周波数毎に、ポインター７０を備え、このポインター７０によって周波数毎の音圧レベルが特定されている。周波数特性表６９の右には、ポインター７０の位置を変更するための、指示ボタン７１がタッチ操作可能に形成されており、この指示ボタン７１の下には、決定ボタン７２が形成されている。
イコライザー設定値変更画面６６を表示させた後、ユーザーは、指示ボタン７１を操作することにより、所望のポインター７０を変動し、区切られた周波数のそれぞれについて音圧レベルを特定する。その際、ユーザーは、ジャンルがクラシックの楽曲を再生する場合において、当該楽曲に係る音声がユーザーにとって最適な状態で聞こえるように、区切られた周波数のそれぞれについて音圧レベルを特定する。
区切られた周波数のそれぞれについて音圧レベルを特定した後、ユーザーは、決定ボタン７２をタッチ操作することにより、クラシックの楽曲の音声信号の周波数特性を確定する。
【００３９】
決定ボタン７２がタッチ操作されると、制御部１０は、そのことを検出すると共に、イコライザー設定値変更画面６６においてユーザーが確定した周波数特性が反映されたＥＱ設定値データを生成する。次に、制御部１０は、音響処理情報ＤＢ４６を参照し、第２ジャンルフィールド６０にクラシックを示すジャンルデータが記憶されているレコードを特定すると共に、特定したレコードのＥＱ設定値フィールド６１に記憶されているデータを生成したＥＱ設定値データによって上書き更新する。
以上のようにして、本実施形態に係る車載装置１では、音響処理情報ＤＢ４６においてジャンルデータと対応づけて記憶されているＥＱ設定値データの内容をユーザーが変更できる。
【００４０】
以上説明したように、本実施形態では、楽曲を再生する車載装置１において、楽曲を再生する際、当該楽曲の楽曲情報データ（ジャンルデータ）を取得し、取得したジャンルデータに応じて、音声信号の周波数特性を変更した上で、当該楽曲を再生する。
これによれば、楽曲を再生する際、自動で、当該楽曲のジャンルに応じて、音声信号の周波数特性が変更された上で、楽曲が再生される。このため、楽曲に応じて周波数特性の内容を設定し直すといった繁雑な作業を行うことなく、音声信号が最適な周波数特性に変更された上で、楽曲を再生できる。
【００４１】
また、本実施形態に係る車載装置１のＨＤＤ２４には、ＴＯＣ情報データと、楽曲情報データ（ジャンルデータ）とを対応づけて記憶する楽曲情報ＤＢ４５が記憶されている。そして、楽曲を再生する際、楽曲情報ＤＢ４５において、当該楽曲と対応づけて記憶されている楽曲情報データ（ジャンルデータ）を取得し、当該ジャンルデータに応じて、音声信号の周波数特性を変更した上で、当該楽曲を再生する。
これによれば、制御部１０は、楽曲情報ＤＢ４５を参照することにより、再生する楽曲の楽曲情報データを確実に取得できる。
【００４２】
また、本実施形態では、楽曲情報ＤＢ４５に加え、楽曲情報データ（ジャンルデータ）と、当該ジャンルデータが示すジャンルの楽曲を再生する場合において、音声信号の最適な周波数特性を示すＥＱ設定値データと、を対応づけて記憶する音響処理情報ＤＢ４６がＨＤＤ２４に記憶されている。
そして、楽曲を再生する際、楽曲情報ＤＢ４５から当該楽曲に係るＴＯＣ情報データと対応づけて記憶されているジャンルデータを取得すると共に、音響処理情報ＤＢ４６から当該ジャンルデータと対応づけて記憶されているＥＱ設定値データを取得し、当該ＥＱ設定値データが示す周波数特性に、音声信号を変更した上で、当該楽曲を再生する。
これによれば、制御部１０は、音響処理情報ＤＢ４６を参照することにより、再生する楽曲の楽曲情報に対応したＥＱ設定値データを確実に取得できる。
【００４３】
また、本実施形態では、音響処理情報ＤＢ４６において、ジャンルデータと対応づけて記憶されているＥＱ設定値データの内容を変更可能である。
これによれば、ユーザーは、音声信号が、自身にとって最適な周波数特性に変更されるように、ＥＱ設定値データの内容を変更することができ、車載装置１を用いるユーザーのそれぞれについて、最適な周波数特性の変更を自動でできる。
【００４４】
また、本実施形態では、楽曲の再生の開始、又は、再生する楽曲の変更が行われる度に、新たに再生すべき楽曲と対応づけて記憶されているジャンルデータを取得し、当該ジャンルデータに応じて、音声信号の周波数特性を変更した上で、当該新たに再生すべき楽曲を再生する。
これによれば、楽曲の再生の開始や、再生する楽曲の変更が行われる度に、楽曲に応じて周波数特性の内容を設定し直すといった繁雑な作業を行うことなく、音声信号が最適な周波数特性に変更された上で、楽曲を再生できる。
【００４５】
また、本実施形態では、あるジャンルの楽曲を再生する場合、ＥＱ設定値データ記憶部４１に記憶されたＥＱ設定値データが、当該ジャンルに最適な周波数特性を示すデータに書き換えられ、イコライザー部４０において当該楽曲の音声信号の周波数特性が、自動で、当該ジャンルに最適な周波数特性に変更される。
このため、楽曲のジャンルが変わる度に、ジャンルに応じて周波数特性の内容を設定し直すといった繁雑な作業を行うことなく、最適な周波数特性に変更された音声信号に係る楽曲を再生できる。
【００４６】
＜第２実施形態＞
次いで、第２実施形態について説明する。
上述した第１実施形態では、外部記憶媒体３９に記憶された楽曲データに係る楽曲を再生する場合を説明したが、本実施形態では、携帯型楽曲再生装置４３に記憶された楽曲データに係る楽曲を再生する場合について説明する。
【００４７】
本実施形態に係る携帯型楽曲再生装置４３は、ハードディスクやフラッシュメモリー等の楽曲データを記憶可能な記憶媒体を備えている。この記憶媒体には、ユーザーによって楽曲データが記憶される。例えば、ユーザーは、音楽ＣＤを再生可能なＣＤ再生装置と携帯型楽曲再生装置４３とを接続し、当該音楽ＣＤに記憶されている楽曲データを携帯型楽曲再生装置４３に転送して、当該楽曲データを携帯型楽曲再生装置４３の記憶媒体に記憶させたり、また、携帯型楽曲再生装置４３をインターネットに接続し、インターネット上の所定のサーバーに記憶された楽曲データをダウンロードして、当該楽曲データを携帯型楽曲再生装置４３の記憶媒体に記憶させたり、楽曲データを記憶しているパーソナルコンピューター等と携帯型楽曲再生装置４３とを接続し、当該パーソナルコンピューター等から楽曲データを転送して、当該楽曲データを携帯型楽曲再生装置４３の記憶媒体に記憶させたりする。
【００４８】
携帯型楽曲再生装置４３では、楽曲データと、ジャンルデータを含む楽曲情報データとを対応づけて記憶可能である。例えば、音楽ＣＤの楽曲データを携帯型楽曲再生装置４３に転送して記憶する場合において、音楽ＣＤに楽曲情報データが記憶されている場合は、楽曲データと併せて楽曲情報データも転送され、記憶媒体に記憶される。また例えば、インターネット上のサーバーから楽曲データをダウンロードする場合において当該サーバーに楽曲情報データが記憶されている場合は、楽曲データと併せて楽曲情報データもダウンロードされ、記憶媒体に記憶される。
さらに、本実施形態に係る携帯型楽曲再生装置４３では、携帯型楽曲再生装置４３に設けられた操作部を操作して、ユーザーが記憶媒体に記憶されている楽曲データの楽曲情報データについて入力可能な構成となっており、ある楽曲データについてユーザーが楽曲情報データを入力することにより、楽曲データと、楽曲情報データとが対応づけて記憶される。
なお、記憶媒体に記憶された楽曲データについて、楽曲情報データが取得できない場合、例えば、音楽ＣＤやサーバーに楽曲情報データが記憶されていない場合や、ユーザーによる楽曲情報データの入力がない場合は、楽曲データと、楽曲情報データとは、対応づけて記憶されない。
【００４９】
携帯型楽曲再生装置４３は、単独で、自身の記憶媒体に記憶された楽曲データの再生が可能である。しかしながら、携帯型楽曲再生装置４３と車載装置１とを接続し、車載装置１によって、携帯型楽曲再生装置４３に記憶された楽曲を再生することによって、第１実施形態と同様に、自動で、音声信号を最適な周波数特性に変更した上で楽曲を再生できる。以下、携帯型楽曲再生装置４３に記憶された楽曲データを、車載装置１によって再生する場合における車載装置１の動作について説明する。
【００５０】
図５は、車載装置１の動作を示すフローチャートである。
なお、図５において、（Ａ）は車載装置１の動作を示し、（Ｂ）はユーザーによる操作を示す。
【００５１】
まず、ユーザーは、携帯型楽曲再生装置４３を、車載装置１に接続する（ステップＳＤ１）。携帯型楽曲再生装置４３が接続されると、車載装置１の無線通信部２２は、制御部１０の制御の下、携帯型楽曲再生装置４３との間における通信リンクの確立、及び、携帯型楽曲再生装置４３に記憶された楽曲データの転送を含む、接続処理を実行する（ステップＳＣ１）。
次に、ユーザーは、操作ボタン３６や、タッチパネル３７を操作して、携帯型楽曲再生装置４３に記憶されている楽曲データに係る楽曲の再生を指示する（ステップＳＤ２）。
楽曲の再生が指示されると、制御部１０は、無線通信部２２を制御して、再生が指示された楽曲のジャンルデータを、携帯型楽曲再生装置４３から取得する（ステップＳＣ２）。次に、制御部１０は、音響処理情報ＤＢ４６を参照し（ステップＳＣ３）、音響処理情報ＤＢ４６の各レコードのうち、第２ジャンルフィールド６０に、ステップＳＣ２において取得したジャンルデータと同一のジャンルデータが記憶されているレコードを特定すると共に（ステップＳＣ４）、特定したレコードのＥＱ設定値フィールド６１に記憶されているＥＱ設定値データを取得する（ステップＳＣ５）。ここで取得したＥＱ設定値データは、上述したように、取得したジャンルデータに係るジャンルの楽曲を再生する場合において、当該楽曲の音声信号の最適な周波数特性を示すデータである。
【００５２】
次に、制御部１０は、ＥＱ設定値データ記憶部４１にアクセスし、ステップＳＣ５において取得したＥＱ設定値データによって、既にＥＱ設定値データ記憶部４１に記憶されているＥＱ設定値データを上書き更新する（ステップＳＣ６）。次に、制御部１０は、携帯型楽曲再生装置４３から取得した楽曲データに係る音声信号をＤＳＰ２０に出力して、楽曲の再生を開始する（ステップＳＣ７）。
ステップＳＣ７では、第１実施形態で説明したように、音声信号が最適な周波数特性に変更された上で、楽曲が再生される。
【００５３】
楽曲の再生後、制御部１０は、再生する楽曲を切り替えるか否かを判別する（ステップＳＣ８）。再生する楽曲を切り替える場合としては、再生していた曲が終了し、次に再生すべき曲に再生する曲を切り替える場合や、ユーザーによって再生する楽曲が新たに指示された場合等がある。
再生する楽曲を切り替えない場合（ステップＳＣ８：ＮＯ）、制御部１０は、継続して現在再生中の楽曲を再生する。
再生する楽曲を切り替える場合（ステップＳＣ８：ＹＥＳ）、制御部１０は、ステップＳＣ２へ処理手順を戻し、再び上述したステップＳＣ２〜ＳＣ６の一連の処理を実行した後、ステップＳＣ７において、切り替え後の楽曲の再生を開始する。これにより、第１実施形態で説明したように、楽曲の再生の開始や、再生する楽曲の変更が行われる度に、自動で、新たに再生すべき楽曲のジャンルに応じた最適な周波数特性に音声信号が変更された上で、楽曲が再生される。このため、楽曲の再生の開始や、再生する楽曲の変更が行われる度に、楽曲に応じて周波数特性の内容を設定し直すといった繁雑な作業を行うことなく、最適な周波数特性に音声信号を変更した上で、楽曲を再生できる。
【００５４】
なお、ステップＳＣ２において、携帯型楽曲再生装置４３からジャンルデータが取得できない場合は、制御部１０は、予め定められた標準の周波数特性に音声信号を変更するか、また、当該楽曲の前に再生した楽曲の周波数特性に音声信号を変更する。
【００５５】
以上説明したように、本実施形態に係る車載装置１は、楽曲の再生が可能な携帯型楽曲再生装置４３楽曲再生装置と接続可能であり、かつ、接続された携帯型楽曲再生装置４３から転送された楽曲を再生可能である。そして、車載装置１は、携帯型楽曲再生装置４３から転送された楽曲を再生する際、当該楽曲の楽曲情報を取得し、取得した楽曲情報に応じた周波数特性に音声信号を変更した上で、楽曲を再生する。
これによれば、携帯型楽曲再生装置４３から転送された楽曲を再生する際、自動で、当該楽曲の楽曲情報に応じた周波数特性に音声信号が変更された上で、楽曲が再生される。このため、楽曲に応じて携帯型楽曲再生装置４３に対して周波数特性の内容を設定し直すといった繁雑な作業を行うことなく、最適な周波数特性に音声信号を変更した上で、楽曲を再生できる。
【００５６】
なお、上述した実施の形態は、あくまでも本発明の一態様を示すものであり、本発明の範囲内で任意に変形および応用が可能である。
例えば、上述した実施形態では、楽曲を再生する際、当該楽曲のジャンルに応じて、音声信号の周波数特性を変更した上で、楽曲を再生していた。しかしながら、ジャンルに限らず、曲名や、アーティスト、アルバム、作曲者、ジャンル、発売年等、各種楽曲情報に応じて、音声信号の周波数特性を変更するようにしてもよい。特に、再生する楽曲は、アーティストによって、施すべき音響処理が大きく異なるため、アーティストに応じて、音声信号の周波数特性を変更するようにすれば、アーティストに応じて周波数特性の内容を設定し直すといった繁雑な作業を行うことなく、音声信号を最適な周波数特性に変更した上で、楽曲を再生できる。
また、上述した実施形態では、周波数特性を変更する処理を、音響処理の１例として説明した。しかし、音響処理は周波数特性を変更する処理に限らず、例えば、楽曲情報に応じて、反射音や残響音を付加する処理（様々な時間で遅延させた信号を下の信号に付加する処理）であってもよい。この場合、特に、第２実施形態で、携帯型楽曲再生装置４３を車載装置１に接続し、車載のスピーカーから音声の出力を行う場合において、携帯型楽曲再生装置４３に直接ヘッドホン等を接続して楽曲を試聴する場合と比較して、臨場感等が低下することを防止できる。
【符号の説明】
【００５７】
１  車載装置
４３  携帯型楽曲再生装置（楽曲再生装置）
【図１】
2010277617.tif 000003
【図２】
2010277617.tif 000004
【図３】
2010277617.tif 000005
【図４】
2010277617.tif 000006
【図５】
2010277617.tif 000007